(57)【要約】　　　（修正有）【課題】利用者の特別の操作を必要とせず、利用者が通話相手を指定するするだけで、通話料金の安いＩＰ電話事業者を自動的に選択するＩＰ電話システムを提供する。【解決手段】利用者が発呼するときに通話相手のアドレスを指定したら、その通話相手アドレスと自己アドレスをサーバーに送信し、サーバーから通話料金の安いＩＰ電話サービス事業者へアクセスするための情報を受信し、そのＩＰ電話サービス事業者のゲートキーパーにアクセスして発呼する。【選択図】図１
2004134825.tif 000002
【特許請求の範囲】
【請求項１】
ＩＰ電話システムにおいて、
利用者が発呼時に指定した通話相手のＩＰ電話番号を検出し、
前記ＩＰ電話番号をサーバーに送信し、
通話料金の安いＩＰ電話サービスを提供しているＩＰ電話サービス事業者のゲートキーパーへアクセスするための情報を前記サーバーから受信し、
前記ゲートキーパーを用いて発呼を行うことを特徴とするＩＰ電話システム
【請求項２】
ＩＰ電話システムにおいて、
利用者が発呼時に指定した通話相手の加入電話番号を検出し、
前記加入電話番号をサーバーに送信し、
通話料金の安いＩＰ電話サービスを提供しているＩＰ電話サービス事業者のゲートキーパーへアクセスするための情報を前記サーバーから受信し、
前記ゲートキーパーを用いて発呼を行うことを特徴とするＩＰ電話システム
【請求項３】
ＩＰ電話システムにおいて、
利用者が発呼時に指定した通話相手の携帯電話番号を検出し、
前記携帯電話番号をサーバーに送信し、
通話料金の安いＩＰ電話サービスを提供しているＩＰ電話サービス事業者のゲートキーパーへアクセスするための情報を前記サーバーから受信し、
前記ゲートキーパーを用いて発呼を行うことを特徴とするＩＰ電話システム
【請求項４】
ＩＰ電話システムにおいて、
利用者が発呼時に指定した通話相手のＰＨＳ電話番号を検出し、
前記ＰＨＳ電話番号をサーバーに送信し、
通話料金の安いＩＰ電話サービスを提供しているＩＰ電話サービス事業者のゲートキーパーへアクセスするための情報を前記サーバーから受信し、
前記ゲートキーパーを用いて発呼を行うことを特徴とするＩＰ電話システム
【請求項５】
ＩＰ電話システムにおいて、
利用者が発呼時に指定した通話相手の電子メールアドレスを検出し、
前記電子メールアドレスをサーバーに送信し、
通話料金の安いＩＰ電話サービスを提供しているＩＰ電話サービス事業者のゲートキーパーへアクセスするための情報を前記サーバーから受信し、
前記ゲートキーパーを用いて発呼を行うことを特徴とするＩＰ電話システム
【請求項６】
ＩＰ電話システムにおいて、
利用者が発呼時に指定した通話相手のＩＰアドレスおよびポート番号を検出し、前記ＩＰアドレスおよびポート番号をサーバーに送信し、
通話料金の安いＩＰ電話サービスを提供しているＩＰ電話サービス事業者のゲートキーパーへアクセスするための情報を前記サーバーから受信し、
前記ゲートキーパーを用いて発呼を行うことを特徴とするＩＰ電話システム
【発明の詳細な説明】
【０００１】
【産業上の利用分野】
本発明は、通話料金の安いＩＰ電話事業者を自動的に選択するＩＰ電話システムに関する。
【０００２】
【従来の技術】
ＶｏＩＰ（Ｖｏｉｃｅ　ｏｖｅｒ　Ｉｎｔｅｒｎｅｔ　Ｐｒｏｔｏｃｏｌ）技術を用いたＩＰ電話サービスが実用化されている。音声をパケット化して伝送することにより、回線使用効率を飛躍的に高め、通話料金を格安にすることが可能である。多くのＩＰ電話事業者がＩＰ電話サービスを提供している。
【０００３】
ＩＰ電話サービスの利用者は、ＩＰ電話サービス事業者とサービス利用契約を結び、発呼時にはＩＰ電話サービス事業者が指定するゲートキーパーにアクセスしてＩＰ電話サービスを利用する。
【０００４】
具体的には次のようになる。利用者１は、ＩＰ電話サービス事業者１と契約する。ＩＰ電話サービス事業者１は、利用者１に対し、発呼時にアクセスするゲートキーパー１のＩＰアドレスなどアクセスに必要な情報を通知する。利用者１は、発呼時に、ゲートキーパー１に対し、通話したい相手のアドレス（ＩＰ電話番号、または、加入電話網の電話番号、または、携帯電話の電話番号、または、電子メールアドレス、または、ＩＰアドレスとポート番号）を送信する。ゲートキーパー１は、利用者１が正規の利用者であるかどうかを認証し、通話相手のアドレスをＩＰアドレスとポート番号に変換し、通話相手に着信通知信号を送信する。通話相手から応答があると、ゲートキーパー１は利用者１に対して、通話相手が応答した旨の信号を通知し、利用者１と通話相手の間で通話が開始される。
【０００５】
ＩＰ電話サービスを提供する事業者は複数存在し、ＩＰ電話サービスの利用料金も事業者によって異なる。利用者１が、複数のＩＰ電話サービス事業者と契約し、通話相手、通話する日時、曜日、通話の長さなどによって最も通話料金の安いＩＰ電話サービスを選択することがある。換言すると、通話するごとに、複数のＩＰ電話サービス事業者の料金を調べ、最も安い通話料金のＩＰ電話サービスを提供しているＩＰ電話サービス事業者のゲートキーパーにアクセスして発呼する。
【０００６】
しかし、利用者自身が複数のＩＰ電話サービス事業者の料金を調べ、最も安い通話料金のＩＰ電話サービスを決定するのは、大変面倒である。利用者が契約しているＩＰ電話サービス事業者の最新の料金表を常に入手し、通話するたびに、通話相手によって複数のＩＰ電話サービス事業者の料金を比較し、最も安い通話料金のＩＰ電話サービスを提供しているＩＰ電話サービス事業者を選択し、そのＩＰ電話サービス事業者のゲートキーパーを指定して発呼しなければならないという問題がある。
【０００７】
【発明が解決しようとする課題】
以上のように、従来の方法では、通話料金の安いＩＰ電話事業者を選択する手順が大変面倒である、という問題があった。
【０００８】
本発明の目的は、上記課題を解決するもので、利用者の特別の操作を必要とせず、通話したい相手を指定するだけで、通話料金の安いＩＰ電話事業者を自動的に選択するＩＰ電話システムを提供することにある。
【０００９】
【課題を解決するための手段】
上記目的を達成するために、本発明の通話料金の安いＩＰ電話サービスを自動的に選択するＩＰ電話システムは、利用者が発呼するときに通話相手のアドレスを指定したら、その通話相手アドレスと自己アドレスをサーバーに送信し、サーバーから通話料金の安いＩＰ電話サービス事業者へアクセスするための情報を受信し、そのＩＰ電話サービス事業者のゲートキーパーにアクセスして発呼する。
【００１０】
【実施例】
実施例を、図面を用いて説明する。第１図は、本発明による通話料金の安いＩＰ電話事業者を自動的に選択するＩＰ電話システムの一実施例を示すブロック図である。１は利用者、２はＩＰ電話システム、３は電話機、４はパソコン、５はインターネット網またはＩＰ電話事業者のＩＰ網、６はＩＰ電話サービス事業者１のゲートキーパー１、７はＩＰ電話サービス事業者２のゲートキーパー２、８はＩＰ電話サービス事業者３のゲートキーパー３、９はサーバーである。
【００１１】
請求項１に示す本発明の通話料金の安いＩＰ電話事業者を自動的に選択するＩＰ電話システムについて第１図を参照して説明する。
【００１２】
利用者１が、電話機３もしくはパソコン４を用いて発呼し、通話する相手のＩＰ電話番号を指定する。ＩＰ電話システム２は、指定されたＩＰ電話番号をサーバー９に送信する。サーバー９は、利用者１が利用可能なＩＰ電話サービス事業者の中から最も通話料金の安いＩＰ電話サービスを提供しているＩＰ電話サービス事業者を選択し、選択したＩＰ電話サービス事業者のゲートキーパーへアクセスするための情報をＩＰ電話システム２へ送信する。ＩＰ電話システム２は、サーバー９から受信した情報を用いて、ゲートキーパーへアクセスし、通話相手のＩＰ電話番号を送信し、通話を要求する。アクセスされたゲートキーパーは、利用者１を認証し、あらかじめ決められた手順に従って通話相手と通信し、通話のためのコネクションを設定する。
【００１３】
例えば、利用者１が利用可能なＩＰ電話サービス事業者が仮に３種類あると仮定する。ＩＰ電話システム２から、利用者１が通話したい相手のＩＰ電話番号を受信すると、サーバー９は、その３種類のＩＰ電話サービス通話料金を比較し、通話相手、通話開始の時間帯、曜日、などに応じて、どのＩＰ電話サービスの通話料金が安いかを比較し、最も通話料金の安いＩＰ電話サービスを提供しているＩＰ電話サービス事業者を決定する。例えば、３種類のＩＰ電話サービス事業者のうち、ＩＰ電話サービス事業者２のＩＰ電話サービスが最も通話料金が安いと仮定すると、サーバー９は、ゲートキーパー２へアクセスするための情報をＩＰ電話システム２へ送信する。ＩＰ電話システム２は、受信した情報を用いて、ゲートキーパー２にアクセスして発呼を要求する。
【００１４】
請求項１に示す本発明の通話料金の安いＩＰ電話事業者を自動的に選択するＩＰ電話システムでは、利用者はＩＰ電話番号を用いて通話したい相手を指定する。請求項２に示す本発明の通話料金の安いＩＰ電話事業者を自動的に選択するＩＰ電話システムは、通話相手が加入電話網に接続された加入電話の場合、ＩＰ電話番号の代わりに加入電話網の電話番号を用いて通話したい相手を指定する。
【００１５】
請求項３に示す本発明の通話料金の安いＩＰ電話事業者を自動的に選択するＩＰ電話システムは、通話相手が携帯電話網に接続された携帯電話の場合、ＩＰ電話番号の代わりに携帯電話番号を用いて通話したい相手を指定する。
【００１６】
請求項４に示す本発明の通話料金の安いＩＰ電話事業者を自動的に選択するＩＰ電話システムは、通話相手がＰＨＳ電話網に接続されたＰＨＳ電話の場合、ＩＰ電話番号の代わりにＰＨＳ電話番号を用いて通話したい相手を指定する。
【００１７】
請求項５に示す本発明の通話料金の安いＩＰ電話事業者を自動的に選択するＩＰ電話システムは、ＩＰ電話番号の代わりに電子メールアドレスを用いて通話したい相手を指定する。
【００１８】
請求項６に示す本発明の通話料金の安いＩＰ電話事業者を自動的に選択するＩＰ電話システムは、ＩＰ電話番号の代わりにＩＰアドレスおよびポート番号を用いて通話したい相手を指定する。
【００１９】
【発明の効果】
以上説明したように、本発明の通話料金の安いＩＰ電話事業者を自動的に選択するＩＰ電話システムは、利用者の特別の操作を必要とせず、通話したい相手を指定するだけで、通話料金の安いＩＰ電話事業者を自動的に選択することができるという効果がある。
【００２０】
【図面の簡単な説明】
【図１】本発明の通話料金の安いＩＰ電話事業者を自動的に選択するＩＰ
電話システムの一実施例を示すブロック図である。
【符号の説明】１　利用者
２　ＩＰ電話システム
３　電話機
４　パソコン
５　インターネット網またはＩＰ電話事業者のＩＰ網
６　ＩＰ電話サービス事業者１のゲートキーパー１
７　ＩＰ電話サービス事業者２のゲートキーパー２
８　ＩＰ電話サービス事業者３のゲートキーパー３
９　サーバー
【図１】
2004134825.tif 000003